(57)【要約】【課題】注出口を安定した膨らみ部形状に保持し、注出口からの内容物の注出をスムーズに行なえるようにした収納袋を提供する。【解決手段】合成樹脂フィルムを用いて周辺がヒートシールにより閉じられ、上端角部に斜め上方に突出する注出口８が形成されてなる収納袋であって、注出口８の長さ方向中間部においてシュリンクフィルムからなるテープ９が注出口８の長さ方向に対して直交する方向に注出口８を形成するシート６，７間に介在されてヒートシールにて装着され、前記テープ９を加熱することにより主材であるシュリンクフィルムが収縮して注出口８を形成するシート６，７の幅を縮め、注出口８を外側に膨らんだ形状に成形した。【選択図】    図５
2006199329.tif 000002
【特許請求の範囲】
【請求項１】
合成樹脂フィルムを用いて周辺がヒートシールにより閉じられ、上端に上方に突出する注出口が形成されてなる収納袋であって、注出口の長さ方向中間部においてシュリンクフィルムからなるテープが注出口の長さ方向に対して交差する方向に注出口を形成するシート間に介在されてヒートシールにて装着され、前記テープを加熱することにより主材であるシュリンクフィルムが収縮して注出口を形成するシートの幅を縮め、注出口を外側に膨らんだ形状に成形してなることを特徴とする収納袋。
【請求項２】
合成樹脂フィルムを用いて周辺がヒートシールにより閉じられ、上端に上方に突出し外側に膨らんだパイプ状に成形された注出口が形成されてなる収納袋であって、注出口の長さ方向中間部においてシュリンクフィルムからなるテープが注出口の長さ方向に対して交差する方向に注出口を形成するシート間に介在されてヒートシールにて装着され、前記テープを加熱することにより主材であるシュリンクフィルムが収縮して注出口の外側に膨らんだパイプ形状を安定化させるようにしたことを特徴とする収納袋。
【発明の詳細な説明】
【技術分野】
【０００１】
本発明は、洗剤や調味料などの液体状あるいは粉末状の内容物を収納するための収納袋に関し、特に内容物を注出する注出口を備えた収納袋に関するものである。
【背景技術】
【０００２】
従来のこの種、袋としては例えば特許文献１に開示されている上方に突出した形状の注出口を備えたものが知られている。
【特許文献１】特開２０００−２５７９７号公報
【発明の開示】
【発明が解決しようとする課題】
【０００３】
上記特許文献１に開示されている袋は底が開くスタンディングパウチに限らず、四方をシールしたものであるが、注出口は扁平状態であると考えられ、内容物を注出するとき注出口の途中から先端部分を鋏などで切り取り、袋を傾けて内容物を注出させるのであるが、注出口が扁平状態であるがために袋を構成する表側のシート材と裏側のシート材が内面同士で密着し易く、袋を強く絞らなければ注出口から内容物が出ないという問題があった。
【０００４】
本発明の目的は、このような課題を解決するものであり、注出口を安定した膨らみ部形状に保持し、注出口からの内容物の注出をスムーズに行なえるようにした収納袋を提供することにある。
【課題を解決するための手段】
【０００５】
本発明の請求項１に記載の収納袋は、合成樹脂フィルムを用いて周辺がヒートシールにより閉じられ、上端に上方に突出する注出口が形成されてなる収納袋であって、注出口の長さ方向中間部においてシュリンクフィルムからなるテープが注出口の長さ方向に対して交差する方向に注出口を形成するシート間に介在されてヒートシールにて装着され、前記テープを加熱することにより主材であるシュリンクフィルムが収縮して注出口を形成するシートの幅を縮め、注出口を外側に膨らんだ形状に成形してなることを特徴とする。
【０００６】
請求項２に記載の収納袋は、合成樹脂フィルムを用いて周辺がヒートシールにより閉じられ、上端に上方に突出し外側に膨らんだパイプ状に成形された注出口が形成されてなる収納袋であって、注出口の長さ方向中間部においてシュリンクフィルムからなるテープが注出口の長さ方向に対して交差する方向に注出口を形成するシート間に介在されてヒートシールにて装着され、前記テープを加熱することにより主材であるシュリンクフィルムが収縮して注出口の外側に膨らんだパイプ形状を安定化させるようにしたことを特徴とする。
【発明の効果】
【０００７】
以上のように、本発明の収納袋は、注出口に介在されたシュリンクフィルムからなるテープを加熱収縮させることにより注出口を形成するシートの幅を縮め、注出口を外側に膨らんだパイプ状に安定化した状態で成形することができる。
【発明を実施するための最良の形態】
【０００８】
以下、本発明の一実施の形態を、図１〜図６を用いて具体的に説明する。
図において、１は洗剤などの液体を収納する合成樹脂フィルムを用いて作られた収納袋で、下端に膨らんだ底部２を有し上端が窄まり状のスタンディングパウチの形態を呈しており、周辺がヒートシールにより閉じられている。３はヒートシール部である。
【０００９】
さらに詳しくは、収納袋１は底部２を構成するシート４と、底部２より上方の胴部５を構成する表側および裏側のシート６および７とで作られており、各シート４，６，７の内面には周辺部においてシート４とシート６，７との間およびシート６とシート７との間をヒートシールにより接合するために未延伸ポリエチレンフィルム層４ａ，６ａ，７ａを備え、その外側に延伸されたナイロンフィルム層４ｂ，６ｂ，７ｂが積層接着され、その外側にガス乃至水蒸気バリヤー性のあるアルミ箔４ｃ，６ｃ，７ｃが積層接着され、さらにその外側に延伸されたポリエチレンテレフタレートフィルム層４ｄ，６ｄ，７ｄが積層接着されてシート４，６，７を構成している。
【００１０】
ところで、前記収納袋１の胴部５の上端の１つの角部には斜め上方に突出する注出口８が形成されている。この注出口８は収納袋１をヒートシールにより製造する際に注出口８の長さ方向中間部においてシュリンクフィルムからなるテープ９が注出口８の長さ方向に対して交差する方向にシート６，７間に介在されて挿入されている。このテープ９はシュリンクフィルム層９ａの表裏両面に未延伸ポリエチレンフィルム層９ｂ，９ｃが積層接着されて構成され、このテープ９の未延伸ポリエチレンフィルム層９ｂ，９ｃが前記シート６，７の未延伸ポリエチレンフィルム層６ａ，７ａにヒートシールにて接合されることになる。収納袋１の製造時に注出口８においてテープ９をシート６，７間に介在させてヒートシールした状態においては注出口８は扁平状態にあり、このヒートシールによる製袋後、前記注出口８に存在するテープ９を加熱することにより主材であるシュリンクフィルム層９ａが収縮して注出口８を形成するシート６，７の幅を縮め、注出口８を外側に膨らんだ形状に成形することができる。
【００１１】
なお、製袋状態においては収納袋１の上端水平部１０は開口しており、この開口する上端水平部１０より収納袋１の中に内容物が充填され、最終的に上端水平部１０がヒートシールにより閉じられる。
【００１２】
前述のようにシュリンクフィルム層９ａの収縮により注出口８を外側に膨らんだパイプ状に成形することができ、注出口８を安定した膨らみ部形状に保持し、先端を鋏などでカットした後、注出口８からの内容物の注出をスムーズに行なうことができる。
【００１３】
以上、図面に示す実施の形態について述べたが、収納袋１の材料となるシート４，６，７の構成は上記したものに限定されるものではない。前記ガス乃至水蒸気バリヤー性を有する材料としては前述のようなアルミ箔４ｃ，６ｃ，７ｃなどの圧延フィルムの他、アルミニウムまたはシリカまたはアルミナなどをフィルムに蒸着した蒸着フィルム、エチレン・ビニルアルコール共重合体のフィルム、ポリ塩化ビニリデンなどを使用することも可能である。また、収納袋１の形態もスタンディングパウチに限定されるものではなく、四方シールなど他の形態であっても良い。
【００１４】
また、収納袋１の中に収納される内容物としては、台所などで使用される洗剤の他、油、醤油などの液状調味料や、牛乳、ジュース、またはシャンプー、リンス、トリートメントなどの高粘度の液体などでも良いが、粉末状内容物、例えば粉末状洗剤などであっても良い。
【００１５】
さらに、図面に示す実施の形態ではシュリンクフィルム層９ａを主材とするテープ９を加熱収縮させることによりそれまで扁平状態にあった注出口８を外側に膨らんだパイプ状に成形するものであるが、テープ９を加熱収縮させるまでに注出口８を外側に膨らんだパイプ状に成形しておき、この状態でシュリンクフィルム層９ａを主材とするテープ９を加熱収縮させることにより注出口８の外側に膨らんだパイプ形状をより安定化させることができる。
【００１６】
さらに、図面に示す実施の形態では収納袋１の上端の角部に斜め上方に突出する注出口８が形成されているが、例えば収納袋１の上端の幅方向中央部に注出口を形成するようにしても良く、注出口の位置は収納袋１の上端角部に限定されるものではない。
【図面の簡単な説明】
【００１７】
【図１】本発明の一実施の形態において注出口のテープを加熱収縮させる前の状態を示す収納袋の斜視図である。
【図２】図１のＸ−Ｘ拡大断面図である。
【図３】図１のＹ−Ｙ拡大断面図である。
【図４】同注出口のテープを加熱収縮させた後の状態を示す収納袋の斜視図である。
【図５】図４のＺ−Ｚ拡大断面図である。
【図６】同収納袋から内容物を注出させている状態を示す斜視図である。
【符号の説明】
【００１８】
１            収納袋
２            底部
３            ヒートシール部
４            シート
４ａ          未延伸ポリエチレンフィルム層
４ｂ          ナイロンフィルム層
４ｃ          アルミ箔
４ｄ          ポリエチレンテレフタレートフィルム層
５            胴部
６，７        シート
６ａ，７ａ    未延伸ポリエチレンフィルム層
６ｂ，７ｂ    ナイロンフィルム層
６ｃ，７ｃ    アルミ箔
６ｄ，７ｄ    ポリエチレンテレフタレートフィルム層
８            注出口
９            テープ
９ａ          シュリンクフィルム層
９ｂ，９ｃ    未延伸ポリエチレンフィルム層
１０            上端水平部
【図１】
2006199329.tif 000003
【図２】
2006199329.tif 000004
【図３】
2006199329.tif 000005
【図４】
2006199329.tif 000006
【図５】
2006199329.tif 000007
【図６】
2006199329.tif 000008